(57)【要約】【課題】  薬剤を担体に含有させることで、薬剤成分の放出をコントロールさせて薬剤成分を徐放させ、長期に亘って薬効作用を維持させることができるようにした調湿・消臭マットの提供。【解決手段】  非透湿性シート材（非透水性シート材を含む）を下側シート材１１とし、透湿性シート材を上側シート材１２としたマット袋体１を備え、マット袋体の内部に、担体２１に薬剤２０（消臭剤、抗菌剤、抗カビ剤、殺菌剤、香剤）を含有させた粒状又は粉状の薬体２（消臭体、抗菌体、抗カビ体、殺菌体、香体）、及び調湿剤３が収容されている。【選択図】  図１
2007038065.tif 000002
【特許請求の範囲】
【請求項１】
非透湿性シート材を下側シート材とし、透湿性シート材を上側シート材としたマット袋体を備え、
このマット袋体の内部に、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体、のうちの何れか１種又は２種以上、及び調湿剤が収容されていることを特徴とした調湿・消臭マット。
【請求項２】
透湿性シート材を下側シート材及び上側シート材としたマット袋体を備え、
このマット袋体の内部に、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体、のうちの何れか１種又は２種以上、及び調湿剤が収容されていることを特徴とした調湿・消臭マット。
【請求項３】
非透湿性シート材を下側シート材とし、透湿性で非透水性のシート材を上側シート材としたマット袋体を備え、
このマット袋体の内部に、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体、のうちの何れか１種又は２種以上、及び調湿剤が収容されていることを特徴とした調湿・消臭マット。
【請求項４】
前記消臭体、抗菌体、抗カビ体、殺菌体、香体が、透気性膜によってコーティングされたカプセル体に形成されている請求項１から３のいずれかに記載の調湿・消臭マット。
【請求項５】
前記下側シート材及び／又は上側シート材に、消臭剤、抗菌剤、抗カビ剤、殺菌剤、香剤、のうちの何れか１種又は２種以上が含有されている請求項１から４のいずれかに記載の調湿・消臭マット。
【発明の詳細な説明】
【技術分野】
【０００１】
本発明は、家屋等において、空気の流通が悪い押入れ、トイレ、床下、天井裏等を調湿・消臭させるために用いる調湿・消臭マットに関する。
【背景技術】
【０００２】
家屋等において、空気の流通が悪い床下空間は、土壌からの蒸発水分によって多湿になりがちであり、これが木材腐朽菌の繁殖を促し、湿気を好むシロアリによる被害の原因にもなっている。
また、家屋の多湿場所では、カビや雑菌が繁殖し、非衛生的であるし、特有の悪臭がある。
【０００３】
このような湿気や悪臭を解消するための手段として、従来、非吸水性の熱可塑性シート材を下側シート材とし、透湿・透湿性シート材を上側シート材としたマット袋体を形成させ、このマット袋体の内部に調湿剤や消臭剤を収容させるようにした床下用マットが知られている（特許文献１参照）。
【０００４】
この床下用マットでは、マット袋体の内部に収容した調湿剤や消臭剤により、床下空間の湿気を調湿して低湿度に維持できるし、床下空間の悪臭を消臭できる。
【特許文献１】特開２００２−３３２６９５号公報
【発明の開示】
【発明が解決しようとする課題】
【０００５】
しかしながら、上記の床下用マットは、マット袋体の内部に収容させる消臭剤がそのままの状態で収容されているため、当初は薬効作用が発揮されるが、時間の経過によって薬剤成分が早期に放出してしまい、薬効作用を長期に亘って維持させることができないという問題があった。
【０００６】
本発明は、上述のような問題を解決するためになされたもので、薬剤を担体に含有させることで、薬剤成分の放出をコントロールさせて薬剤成分を徐放させ、長期に亘って薬効作用を維持させることができるようにした調湿・消臭マットを提供することを課題としている。
【課題を解決するための手段】
【０００７】
上記課題を解決するために、本発明の調湿・消臭マット（請求項１）は、
非透湿性シート材（非透水性シート材を含む）を下側シート材とし、透湿性シート材を上側シート材としたマット袋体を備え、
このマット袋体の内部に、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体、のうちの何れか１種又は２種以上、及び調湿剤が収容されている構成とした。
【０００８】
なお、本発明において、消臭剤、抗菌剤、抗カビ剤、殺菌剤、香剤を総称して薬剤と称し、また、粒状又は粉状の消臭体、粒状又は粉状の抗菌体、粒状又は粉状の抗カビ体、粒状又は粉状の殺菌体、粒状又は粉状の香体を総称して薬体と称する。
【０００９】
又、本発明の調湿・消臭マット（請求項２）は、
透湿性シート材を下側シート材及び上側シート材としたマット袋体を備え、
このマット袋体の内部に、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体、のうちの何れか１種又は２種以上、及び調湿剤が収容されている構成とした。
【００１０】
又、本発明の調湿・消臭マット（請求項３）は、
非透湿性シート材（非透水性シート材を含む）を下側シート材とし、透湿性で非透水性のシート材を上側シート材としたマット袋体を備え、
このマット袋体の内部に、担体に消臭剤を含有させた粒状又は粉状の消臭体、担体に抗菌剤を含有させた粒状又は粉状の抗菌体、担体に抗カビ剤を含有させた粒状又は粉状の抗カビ体、担体に殺菌剤を含有させた粒状又は粉状の殺菌体、担体に香剤を含有させた粒状又は粉状の香体、のうちの何れか１種又は２種以上、及び調湿剤が収容されている構成とした。
【００１１】
又、本発明の調湿・消臭マット（請求項４）は、前記請求項１から３のいずれかに記載の調湿・消臭マットにおいて、
前記消臭体、抗菌体、抗カビ体、殺菌体、香体が、透気性膜によってコーティングされたカプセル体に形成されている態様とした。
【００１２】
又、本発明の調湿・消臭マット（請求項５）は、前記請求項１から４のいずれかに記載の調湿・消臭マットにおいて、
前記下側シート材及び／又は上側シート材に、消臭剤、抗菌剤、抗カビ剤、殺菌剤、香剤、のうちの何れか１種又は２種以上が含有されている態様とした。
【発明の効果】
【００１３】
本発明（請求項１）の調湿・消臭マットは、水蒸気、臭い粒子、カビ、菌などを含有する空気が透湿性シート材である上側シート材を通して、調湿剤及び薬剤（消臭剤、抗菌剤、抗カビ剤、殺菌剤、香剤）に接触することで調湿が行なわれると共に薬剤作用で消臭、抗菌、抗カビ殺菌などが行なわれる。
また、担体に含まれている薬剤成分が透湿性シート材である上側シート材を通して空気中へ蒸発することにより消臭、抗菌、抗カビ殺菌などが行なわれる。
このとき上記のように、薬剤を担体に含有させた粒状又は粉状の薬体に形成させているので、薬剤成分の放出をコントロールさせて薬剤成分を徐放させることができ、長期に亘って薬効作用を維持させることができる。
又、薬剤成分の蒸発コントロールは、マット袋体の上側シート材を構成する透湿性シート材によっても行なわれる。
【００１４】
なお、本発明（請求項１）の調湿・消臭マットは、マット袋体が非透湿性シート材を下側シート材とし、透湿性シート材を上側シート材として形成されている。
このように、下側シート材を非透湿性シート材によって形成しているため、床下地面等から蒸発する湿気を遮断し、その湿気を直接吸収することがないため、短時間で飽和状態になって吸湿能力が低下するといったことがなく、床下空間を長期的に低湿度に維持することができるようになった。
【００１５】
又、本発明（請求項２）の調湿・消臭マットは、マット袋体が透湿性シート材を下側シート材及び上側シート材として形成されている。
即ち、マット袋体の全体が透湿性シート材によって形成されているため、マット袋体の全面で湿気を吸収、放出することができる。
従って、例えば、押し入れのような空間に吊り下げ状態で設置させると効果的に調湿、消臭することができる。
【００１６】
又、本発明（請求項３）の調湿・消臭マットは、マット袋体が非透湿性シート材を下側シート材とし、透湿性で非透水性のシート材を上側シート材として形成されている。
即ち、下側シート材及び上側シート材の両方共に、水分の透過ができないものである。ただ、上側シート材については、透湿性を有しているため、湿気の吸収、透過、放出はできる。
このように、マット袋体が全面的に非透水性であるため、例えば、床下に配設した場合に、洪水等で床下浸水が生じたとしても、マット袋体への水の侵入を阻止することができ、調湿効果、消臭効果を失われることがなく、調湿効果、消臭効果を維持することができる。
【００１７】
また、粒状又は粉状の薬体を透気性膜によってコーティングしたカプセル体に形成させると（請求項４）、薬剤成分の放出をより一層徐放させることができる。
【００１８】
また、本発明の調湿・消臭マットは、これを床下等の湿気の多い場所に床下地面に敷設して使用する場合、下側シート材に結露が生じたり、土壌に含まれている雑菌によるカビの繁殖が発生するという問題があった。
【００１９】
そこで、本発明（請求項５）のように、下側シート材に薬剤を含有させれば、消臭、抗菌、抗カビ殺菌などの薬効を作用させて、今まで述べてきたような問題発生を防ぐことができる。
また、上側シート材に含有される薬剤の蒸発によって、空気中に浮遊している臭いを分解し、カビを殺すことができるし、空気と上側シートの接触によりシートにキャッチされた臭いを分解し、カビを殺すことができる。
【発明を実施するための最良の形態】
【００２０】
図１は本発明の調湿・消臭マットの実施例を示す切欠斜視図、図２はこの調湿・消臭マットのマット袋体の内部に収容した薬体の１例を示す断面図である。
【００２１】
この調湿・消臭マットＡは、非透水性の熱可塑性シート材を下側シート材１１とし、透湿性シート材（不織布）を上側シート材１２としたマット袋体１を備え、このマット袋体１の内部に薬剤２０を担体２１に含有させた薬体２（粒状薬体又は粉状薬体）が収容されている。
本実施例では、前記下側シート材１１と上側シート材１２の間に縦方向に２列、横方向に２列の合計４個に区画されたマット袋体１が形成され、この各マット袋体１の内部に薬体２及び調湿剤３が収容されている。
尚、前記マット袋体１の数は、１個又は２個以上の複数個でもよく、縦方向又は横方向のみに１列に配設させてもよい。
【００２２】
前記薬体２は、図２に示すように、薬剤２０を担体２１に含有させたもので、薬剤２０として、２−（４−チアゾリル）ベンゾイミダゾール（ＴＢＺ）、四級アンモニウム塩などの有機剤、ヒノキチオール、キトサン、アリルイソチオシアネートなどの天然系、銀イオン、銅イオンなどの無機系などの抗菌剤、殺菌剤、防カビ剤、刹カビ剤、消臭剤（活性炭、竹炭、木炭等）、及び香剤（有機香剤、無機香剤を含む）がある。
【００２３】
例えば、抗カビ剤としてのＴＢＺを担体としての多層質粘土鉱物のベントナイト等に含有させた粒状抗カビ体、抗菌剤としての銀イオンを多孔質鉱物珪藻土、シリカゲル等に含有させた粒状抗菌体の２種類を用意し、これらを混合させたものを全てのマット袋体１に収容させてもよいし、粒状抗菌体と粒状抗カビ体とを別々のマット袋体１，１に収容させるようにしてもよい。
【００２４】
又、前記調湿剤３としては、セピオライト、ゼオライト、シリカゲル、珪藻土等を用いることができる。
この調湿剤３は、前記薬体２と混合してマット袋体１に収容させてもよいし、調湿剤３と薬体２を別々のマット袋体１，１に収容させてもよい。
【００２５】
又、前記マット袋体１を構成する下側シート材１１及び／又は上側シート材１２には、薬剤（消臭剤、抗菌剤、抗カビ剤、殺菌剤、香剤）が含有されており、この場合、薬剤をシート材１１，１２の表面に塗布させてもよいし、或いは薬剤をシート材１１，１２の製造時に練り込むことで含有させるようにしている。
【００２６】
このように形成された調湿・消臭マットＡは、上側シート材１２が上面になるようにして、多湿場所、例えば、床下地面に並べて敷設し使用することになる。
そして、上側シート材１２が透湿性シート材であることから、この上側シート材１２を通してマット袋体１に収容した薬体２の薬効作用で消臭、防カビ、殺菌等を行なうことができるし、調湿剤３の吸湿作用で調湿を行なうことができる。
そして、薬剤２０を担体２１に含有させた薬体２に形成させているので、薬剤成分の放出をコントロールさせて薬剤成分を徐放させることができ、長期に亘って薬効作用を維持させることができる。
【００２７】
また、実施例のように、下側シート材１１に薬剤を含有させれば、下方からの空気に対して消臭、防カビ、殺菌、芳香等の薬効を作用させることができるし、上側シート材１２に薬剤を含有させれば、上方空気に対して消臭、防カビ、殺菌、芳香等の薬効を作用させることができる。
【００２８】
次に、図３は粒状又は粉状の薬体２をカプセル体４に形成した場合の断面図である。
このカプセル体４は、薬剤２０（消臭剤、抗菌剤、抗カビ剤、殺菌剤、香剤）を担体２１に含有させた粒状又は粉状の薬体２（消臭体、抗菌体、抗カビ体、殺菌体、香体）の表面を透気性膜４０によってコーティングすることでカプセル状に形成したものである。
前記透気性膜４０としては、シリコンゴム、ポリエチレン、ポリスチレン、アクリル樹脂、ポリ酢酸ビニル等を用いることができる。
このように、薬体２をカプセル体４に形成させると、薬剤成分の放出をより一層徐放させることができ、長期に亘って薬効作用を維持させることができる。
【００２９】
又、透湿性シート材を下側シート材及び上側シート材としてマット袋体を形成することができる。
この場合、マット袋体の全体が透湿性シート材によって形成されているため、マット袋体の全面で湿気を吸収、放出することができるもので、例えば、押し入れのような空間に吊り下げ状態で設置させると効果的に調湿、消臭することができる。
【００３０】
又、非透湿性シート材（非透水性シート材を含む）を下側シート材とし、透湿性で非透水性のシート材を上側シート材としてマット袋体を形成することができる。
即ち、下側シート材及び上側シート材の両方共に、水分の透過ができないものであり、このように、マット袋体が全面的に非透水性であるため、例えば、床下に配設した場合に、洪水等で床下浸水が生じたとしても、マット袋体への水の侵入を阻止することができ、調湿効果、消臭効果を失われることがなく、調湿効果、消臭効果を維持することができる。
なお、上側シート材については、透湿性を有しているため、湿気の吸収、放出はできるため、調湿効果、消臭効果に問題はない。
【図面の簡単な説明】
【００３１】
【図１】本発明の調湿・消臭マットの実施例を示す切欠斜視図である。
【図２】薬体の１例を示す断面図である。
【図３】薬体をカプセル体に形成した場合の断面図である。
【符号の説明】
【００３２】
Ａ  調湿・消臭マット
１  マット袋体
１１  下側シート材
１２  上側シート材
２  薬体
２０  薬剤
２１  担体
３  調湿剤
４  カプセル体
４０  透気性膜
【図１】
2007038065.tif 000003
【図２】
2007038065.tif 000004
【図３】
2007038065.tif 000005